(57)【特許請求の範囲】
【請求項１】
屋根の谷線を挟んで対向配置される一対の谷瓦であって、
前記谷線側の端部同士を当接させるとともに、その当接部分に、該当接状態を保持しかつ両谷瓦における瓦上面の折り曲げ角度と、両谷瓦における瓦同士の平面展開角度と、をそれぞれ調節可能とする角度可変手段を設け、
前記角度可変手段は、前記両谷瓦の一方に設けられた支軸部と、他方に設けられて前記支軸部に被せられる被せ部と、を備え、
前記支軸部をその延設方向において等径で設けたのに対し、前記被せ部をその延設方向の一側に拡径して設けたことを特徴とする谷瓦。
【請求項２】
前記支軸部を、瓦重なり部分の上端から下端まで連続して形成したことを特徴とする請求項１に記載の谷瓦。
【請求項３】
前記支軸部は瓦本体部の端部に設けられており、前記瓦本体部と前記支軸部との間は、前記支軸部に沿った凹溝状になっていることを特徴とする請求項１又は２に記載の谷瓦。
【請求項４】
２つの屋根面が接続される谷部を有し、該谷部に請求項１乃至３のいずれかに記載の谷瓦を葺設したことを特徴とする住宅用屋根。
【発明の詳細な説明】
【技術分野】
【０００１】
本発明は、屋根の谷線を挟んで対向配置される谷瓦及び住宅用屋根に関するものである。
【背景技術】
【０００２】
住宅等の屋根構造には種々のものがあり、例えば、異なる２つの屋根面が接続されて谷部が構成されるものがある。図６は、屋根５０の谷部５１の外観を示す斜視図である。この屋根５０の谷部５１では各屋根面の端部が斜めになることから、通常とは異なる屋根瓦が用いられる。図６において、谷部５１に対向配置されるのが谷瓦５２であり、他が通常の平板瓦５３である。谷部５１において、対向する谷瓦５２の間には、谷部５１を流れる雨水等を流すための谷樋５４が設けられている。谷瓦５２は、平板瓦５３の一部を切除して用いられるのが一般的であり、屋根面の境界部分に合わせて各々一枚ずつ現物合わせで切断が行われる。そのため、瓦の切断作業が煩雑であることなどに起因して瓦葺きの作業性が悪く、更に切断部分で品質のばらつきが生じるおそれがあった。
【０００３】
上記問題に対し、谷側となる谷瓦の外端縁軒側を切り欠いて斜辺部を形成し、この斜辺部を勾配屋根と勾配屋根との境界部分に沿って当接可能に設けるようにした技術が提案されている（例えば特許文献１参照）。こうして斜辺部を形成した谷瓦を用いることにより、各勾配屋根の境界部に沿わせて谷瓦を順次葺設することができ、作業性の改善などを図ることができるとしていた。
【０００４】
しかしながら、上記従来技術では、各勾配屋根の境界部（谷線）を挟む一対の谷瓦は当接により順次葺設され、その際、各勾配屋根の境界部における当接部分にばらつきが生じるおそれがあった。そのため、屋根の外観上の品質が低下するといった不都合が生じる。また、葺設後における長期の使用などにより瓦の位置ズレなどが生じると、やはり屋根の外観上の品質が低下するといった不都合が生じる。
【特許文献１】実開平５−７１３１６号公報
【発明の開示】
【発明が解決しようとする課題】
【０００５】
本発明は、屋根の谷部における瓦葺き作業を簡略化し、しかも良好なる葺設状態を保持することができる谷瓦及び住宅用屋根を提供することを主たる目的とするものである。
【課題を解決するための手段】
【０００６】
以下、上記課題を解決するのに有効な手段等につき、必要に応じて作用、効果等を示しつつ説明する。なお以下では、理解を容易にするため、発明の実施の形態において対応する構成例を括弧書き等で適宜示すが、この括弧書き等で示した具体的構成に限定されるものではない。
【０００７】
本発明の谷瓦（谷瓦１１，３１）は、屋根（屋根１０）の谷線（谷線Ｌａ）を挟んで対向配置されるものである。その一対の谷瓦において、谷線側の端部同士を当接させるとともに、その当接部分に、該当接状態を保持しかつ両谷瓦における瓦上面の角度を調節可能とする角度可変手段を設けた。かかる場合、角度可変手段によって、両谷瓦における上面角度（すなわち、両谷瓦の折り曲げ角度）が調節されることにより、作業者の熟練等を要することなく簡易に葺設作業を行うことができる。その際、屋根面に応じた角度調節が容易に実施できる。また、谷瓦の葺設後は、角度可変手段によって両谷瓦の当接状態が保持
され、位置ズレが生じにくいものとなる。以上により、屋根の谷部における瓦葺き作業を簡略化し、しかも対向配置される一対の谷瓦の良好なる葺設状態を保持することができる。
【０００８】
また、第２の発明では、一対の谷瓦（１１Ａ，１１Ｂ）において各々の谷線側の端部に設けた重合部のうち一方を支軸部（支軸部２３）とするとともに、他方を支軸部に被せられる被せ部（被せ部２８）とした。なお、支軸部及び被せ部が角度可変手段に相当する。本構成によれば、支軸部及び被せ部の重なり部分では、支軸部の外周面に沿って被せ部の重複範囲をずらすことができ、その重複範囲のずらしによって両谷瓦の上面角度（すなわち、両谷瓦の折り曲げ角度）が調整できる。この場合、一対の谷瓦の重合部（支軸部及び被せ部）によって、作業者の熟練等を要することなく簡易に葺設作業を行うことができる。その際、屋根面に応じた角度調節が容易に実施できる。また、谷瓦の葺設後は、支軸部及び被せ部の係合によって位置ズレが生じにくいものとなる。以上により、屋根の谷部における瓦葺き作業を簡略化し、しかも対向配置される一対の谷瓦の良好なる葺設状態を保持することができる。
【０００９】
ここで、支軸部の外周面の径と被せ部の内周面の径とが等しくそれが不変であると、支軸部及び被せ部のそれぞれの軸線がほぼ同一となり、一対の谷瓦を組み合わせた時の展開角度（方向の異なる２つ屋根面の展開角度）が、屋根の傾斜角度に対してほぼ一義的に決まることとなる。この点、支軸部及び被せ部のそれぞれの軸線をずらすことができれば、屋根の傾斜角度を同一としたまま谷瓦の展開角度を変更することができる。図５は、その理由を説明するための模式図である。図５は、一対の谷瓦Ｋ１，Ｋ２を屋根葺設状態と同じ状態として真上から見た時の概略図であり、図中のＬ１，Ｌ２は各谷瓦Ｋ１，Ｋ２の支軸部及び被せ部の各軸線を示している。図５において、（ａ）は各谷瓦Ｋ１，Ｋ２の支軸部及び被せ部の各軸線Ｌ１，Ｌ２がほぼ同一となる場合を、（ｂ）は各谷瓦Ｋ１，Ｋ２の支軸部及び被せ部の各軸線Ｌ１，Ｌ２が相違する場合を、それぞれ示している。
【００１０】
つまり、図５の（ａ），（ｂ）を見比べると、各軸線Ｌ１，Ｌ２が一致する場合と、相違する場合とで各谷瓦Ｋ１，Ｋ２の平面展開角度（θ１，θ２）が相違することが分かる。かかる場合、図５の（ａ），（ｂ）いずれの状態にも変更できれば、谷瓦の平面展開角度（屋根面の展開角度）が違っていても谷瓦の葺設が可能となる。逆に言えば、屋根の傾斜角度が違っていても谷瓦の葺設が可能となる。
【００１１】
一対の谷瓦において支軸部及び被せ部のそれぞれの軸線をずらすための構成として、次の各構成が適用されると良い。
（１）支軸部をその延設方向において等径で設けるのに対し、被せ部をその延設方向の一側に拡径して設ける。
（２）支軸部の外周面の径に対し、被せ部の内周面の径を大きくする。
【００１２】
上記各構成によれば、一対の谷瓦において支軸部及び被せ部のそれぞれの軸線が角度調整できるようになり、谷瓦の展開角度（屋根面の展開角度）、又は屋根の傾斜角度が異なる場合であっても谷瓦を好適に葺設することができる。
【００１３】
また、前記支軸部を、瓦重なり部分の上端から下端まで連続して形成すると良い。本構成によれば、支軸部に雨樋（谷樋）としての機能を付加することができる。
【００１４】
また、第３の発明では、一対の谷瓦（３１Ａ，３１Ｂ）において屋根の谷線に沿って斜めに切除された端面を有し、前記谷線を挟んで対向する瓦同士で前記端面を当接させ、かつその当接部位の裏面側に弾性体よりなる連結部材（連結シート３５）を接合した。なお、連結部材が角度可変手段に相当する。かかる場合、連結部材の弾性変形によって両谷瓦
の上面角度（すなわち、両谷瓦の折り曲げ角度）が調整できるため、作業者の熟練等を要することなく簡易に葺設作業を行うことができる。その際、屋根面に応じた角度調節が容易に実施できる。また、谷瓦の葺設後は、連結部材によって位置ズレが生じにくいものとなる。以上により、屋根の谷部における瓦葺き作業を簡略化し、しかも対向配置される一対の谷瓦の良好なる葺設状態を保持することができる。
【００１５】
ここで、前記連結部材を、各谷瓦の対向部分における一方の端部から他方の端部まで連続して設けると良い。本構成によれば、連結部材によって雨樋（谷樋）としての機能を付加することができる。
【発明を実施するための最良の形態】
【００１６】
（第１の実施の形態）
以下、本発明を具体化した第１の実施の形態を図面に基づいて説明する。図１は谷部を有する住宅用屋根の一部を示す斜視図であり、図２は屋根上に葺設される屋根瓦のうち特に谷瓦の構成を示す斜視図である。なお、図１には屋根瓦の葺設状況を概略で示しており、実際の谷瓦形状については図２を参照されたい。
【００１７】
図１において、屋根１０は２つの屋根面を有しており、両屋根面の間の境界部が谷部となっている。図のＬａが谷線である。屋根１０には多数の瓦が葺設されている。そのうち谷線Ｌａを挟んで対向配置される左右一対の瓦が谷瓦１１であり、それ以外が平板瓦１２である。平板瓦１２は概ね平面視矩形状をなしているのに対し、谷瓦１１は谷線Ｌａに接する部位の一部が切除されたような変形四角形状をなしている。周知のとおり、左右方向に並ぶ平板瓦１２は各々の瓦端部に重合部を有しており、その重合部が上下に重ね合わされた状態で葺設されている。
【００１８】
次に、谷瓦１１の特徴的な構成について図２を用いて説明する。谷瓦１１は左右一対の組み合わせで構成されるものとなっており、図２の（ａ）には左右の谷瓦１１を分離させた状態を、同（ｂ）には左右の谷瓦１１を接合させた状態を示している。この場合、左右の谷瓦１１は非対称形状をなしており、以下説明の便宜上、図の左側の谷瓦１１を「谷瓦１１Ａ」、図の右側の谷瓦１１を「谷瓦１１Ｂ」とも称することとする。
【００１９】
谷瓦１１Ａは、上面がほぼフラットに成形された本体部２１を有しており、その本体部２１の図の左端部（すなわち平板瓦１２との重合部分）には上側重合部２２が形成されている。屋根１０上においては、谷瓦１１Ａの上側重合部２２と該谷瓦１１Ａに隣接する平板瓦１２の下側重合部（図示略）とが上下に重ね合わされた状態で谷瓦１１Ａが葺設されるようになっている。また、本体部２１の右端側（すなわち、他方の谷瓦１１Ｂとの重合部分）には、断面略円弧状をなしかつ瓦端部に沿って図の上下方向に延びる支軸部２３が形成されている。
【００２０】
一方、谷瓦１１Ｂは、前記谷瓦１１Ａと同様、上面がほぼフラットに成形された本体部２６を有しており、その本体部２６の図の右端部（すなわち平板瓦１２との重合部分）には下側重合部２７が形成されている。屋根１０上においては、谷瓦１１Ｂの下側重合部２７と該谷瓦１１Ｂに隣接する平板瓦１２の上側重合部（図示略）とが上下に重ね合わされた状態で谷瓦１１Ｂが葺設されるようになっている。また、本体部２６の左端側（すなわち、他方の谷瓦１１Ａとの重合部分）には、断面略円弧状をなし、前記谷瓦１１Ａとの接合時にその支軸部２３に被せられる被せ部２８が形成されている。
【００２１】
この場合、支軸部２３はその延設方向において等径で設けられるのに対し、被せ部２８はその延設方向の一側に拡径して設けられる。つまり、被せ部２８は図の下方ほど拡径されており、その拡径部分では支軸部２３よりも径寸法が大きくなっている。
【００２２】
上記構成の谷瓦１１Ａ，１１Ｂは、図２の（ｂ）に示すように、谷瓦１１Ａの支軸部２３を下に、谷瓦１１Ｂの被せ部２８を上にして各々の端部が重ね合わされる。このとき、支軸部２３上に被せ部２８が被せられ、両谷瓦１１Ａ，１１Ｂが一体化される。この状態で、谷瓦１１Ｂの被せ部２８は、谷瓦１１Ａの支軸部２３の外周面に沿って図のＸ方向にずらし可能であり、そのずらしによって各谷瓦１１Ａ，１１Ｂの上面角度（すなわち、両谷瓦の折り曲げ角度）が調節可能となっている。
【００２３】
また、前述のとおり被せ部２８がその延設方向の一側に拡径して設けられているため、谷瓦１１Ａ，１１Ｂにおいて支軸部２３及び被せ部２８のそれぞれの軸線が角度調整できるようになっている。これにより、屋根面の傾斜角度（瓦葺設角度）を同一にしたまま、谷瓦１１Ａ，１１Ｂの平面展開角度（屋根面の展開角度）が変更可能となっている。また逆に言えば、谷瓦１１Ａ，１１Ｂの平面展開角度（屋根面の展開角度）を同一にしたまま、屋根面の傾斜角度（瓦葺設角度）が変更可能となっている。
【００２４】
上記構成の谷瓦１１Ａ，１１Ｂを屋根１０に葺設する際には、一方の屋根面において谷瓦１１Ａを葺設した後、他方の屋根面において谷瓦１１Ｂを葺設する。このとき、谷瓦１１Ａの支軸部２３上に谷瓦１１Ｂの被せ部２８を被せることで、谷部の瓦葺きを行うことができる。この場合特に、谷部の谷瓦１１Ａ，１１Ｂを先に葺設し、その後平板瓦１２を順次葺設すると良い。なお、谷瓦１１Ａ，１１Ｂの重合部分において針金等による固定を適宜行うことも可能である。
【００２５】
以上詳述した本実施の形態によれば、一対の谷瓦１１Ａ，１１Ｂの支軸部２３及び被せ部２８によって、作業者の熟練等を要することなく簡易に葺設作業を行うことができる。その際、屋根面に応じた谷瓦１１Ａ，１１Ｂの角度調節が容易に実施できる。また、谷瓦１１Ａ，１１Ｂの葺設後は、支軸部２３及び被せ部２８の係合によって位置ズレが生じにくいものとなる。以上により、屋根１０の谷部における瓦葺き作業を簡略化し、しかも谷瓦１１Ａ，１１Ｂの良好なる葺設状態を保持することができる。
【００２６】
谷瓦１１Ａ，１１Ｂにおいて支軸部２３及び被せ部２８のそれぞれの軸線が角度調整できるように構成したため、谷瓦１１Ａ，１１Ｂの平面展開角度（屋根面の展開角度）、又は屋根面の傾斜角度が異なる場合であっても谷瓦１１Ａ，１１Ｂを好適に葺設することができる。
【００２７】
また、谷瓦１１Ａの支軸部２３を、瓦重なり部分の上端から下端まで連続して形成するようにしたため、該支軸部２３に谷樋としての機能を付加することができる。この場合、屋根１０の谷部に設けられる谷樋を省略することができ、構成の簡素化を図ることができる。
【００２８】
（第２の実施の形態）
次に、本発明における第２の実施の形態について説明する。図３は、本実施の形態における一組の谷瓦３１の構成を示す斜視図である。なお、本実施の形態の谷瓦３１は前記図１において谷瓦１１に代えて屋根１０に葺設されるものである。
【００２９】
図３の（ａ）において、谷瓦３１は左右一対の谷瓦３１Ａ，３１Ｂよりなる。そのうち図の左側の谷瓦３１Ａには底面に凹状部３２が形成されており、屋根１０上においては、谷瓦３１Ａの凹状部３２と該谷瓦３１Ａに隣接する平板瓦１２の下側重合部（図示略）とが上下に重ね合わされた状態で谷瓦３１Ａが葺設されるようになっている。谷瓦３１Ａの図の右端部（すなわち、他方の谷瓦３１Ｂとの接合部分）は、屋根１０の谷線に沿って斜めに切除され、平坦な当接面となっている。
【００３０】
一方、谷瓦３１Ｂの図の右端部（すなわち平板瓦１２との重合部分）には下側重合部３３が形成されている。屋根１０上においては、谷瓦３１Ｂの下側重合部３３と該谷瓦３１Ｂに隣接する平板瓦１２の上側重合部（図示略）とが上下に重ね合わされた状態で谷瓦３１Ｂが葺設されるようになっている。谷瓦３１Ｂの図の左端部（すなわち、他方の谷瓦３１Ａとの接合部分）は、前記谷瓦３１Ａと同様、屋根１０の谷線に沿って斜めに切除され、平坦な当接面となっている。
【００３１】
また、各谷瓦３１Ａ，３１Ｂの底面にはそれら両者を連結するための連結シート３５が貼着されるようになっている。連結シート３５は、ＥＰＤＭ（エチレン・プロピレンゴム）などの弾性材料により成形される四角形状の弾性板状部材であり、接着剤や両面テープ等を用いて瓦底面に貼り付けられる。連結シート３５の縦方向の長さは、各谷瓦３１Ａ，３１Ｂの対向部分における一方の端部から他方の端部までの長さ（図の上端部から下端部までの長さ）とほぼ同等となっている。
【００３２】
各谷瓦３１Ａ，３１Ｂを連結シート３５により連結させた状態を図３の（ｂ）に示す。図３の（ｂ）の状態では、各谷瓦３１Ａ，３１Ｂの対向する端部が当接している。そして、連結シート３５の弾性作用により、各瓦３１Ａ，３１Ｂが図のＹ方向に角度調節可能となっている。
【００３３】
以上第２の実施の形態によれば、連結シート３５の弾性変形によって両谷瓦３１Ａ，３１Ｂの上面角度（すなわち、両谷瓦の折り曲げ角度）が調整できるため、作業者の熟練等を要することなく簡易に葺設作業を行うことができる。その際、屋根面に応じた谷瓦３１Ａ，３１Ｂの角度調節が容易に実施できる。また、谷瓦３１Ａ，３１Ｂの葺設後は、連結シート３５によって位置ズレが生じにくいものとなる。以上により、屋根１０の谷部における瓦葺き作業を簡略化し、しかも谷瓦３１Ａ，３１Ｂの良好なる葺設状態を保持することができる。
【００３４】
連結シート３５を、各谷瓦３１Ａ，３１Ｂの対向部分における一方の端部から他方の端部まで連続して設けるようにしたため、連結シート３５が止水効果を奏し、谷樋としての機能を付加することができる。
【００３５】
なお、本発明は上記実施の形態の記載内容に限定されず、例えば次のように実施しても良い。
【００３６】
上記第１の実施の形態では、谷瓦１１Ａの支軸部２３を、瓦重なり部分の上端から下端まで連続して形成したが、これを変更しても良い。例えば、図４に示すように、谷瓦１１Ａに、分断された状態で複数の支軸部４１を設けるようにする。本構成であっても、前記同様、屋根１０の谷部における瓦葺き作業を簡略化し、しかも谷瓦１１Ａ，１１Ｂの良好なる葺設状態を保持することができる。
【００３７】
上記第１の実施の形態では、支軸部２３をその延設方向において等径で設けるとともに、被せ部２８をその延設方向の一側に拡径して設けたが、これを変更する。例えば、支軸部２３の外周面の径に対し、被せ部２８の内周面の径を大きくする。本構成であっても、谷瓦１１Ａ，１１Ｂにおいて支軸部２３及び被せ部２８のそれぞれの軸線が角度調整できるようになり、谷瓦１１Ａ，１１Ｂの平面展開角度（屋根面の展開角度）、又は屋根の傾斜角度が異なる場合であっても谷瓦を好適に葺設することができる。
【００３８】
上記第２の実施の形態では、一対の谷瓦３１Ａ，３１Ｂを１片の連結シート３５により連結したが、複数片に分割した連結シートにより谷瓦３１Ａ，３１Ｂを連結することも可
能である。
【図面の簡単な説明】
【００３９】
【図１】住宅用屋根の一部を示す斜視図。
【図２】第１の実施の形態における谷瓦の構成を示す斜視図。
【図３】第２の実施の形態における谷瓦の構成を示す斜視図。
【図４】別の形態における谷瓦の構成を示す斜視図。
【図５】支軸部及び被せ部の軸線と谷瓦の展開角度との関係を説明するための図。
【図６】従来技術における瓦の葺設状態を説明するための図。
【符号の説明】
【００４０】
１０…屋根、１１（１１Ａ，１１Ｂ）…谷瓦、２３…支軸部、２８…被せ部、３１（３１Ａ，３１Ｂ）…谷瓦、３５…連結シート。
【図１】
0004787612.tif 000002
【図２】
0004787612.tif 000003
【図３】
0004787612.tif 000004
【図４】
0004787612.tif 000005
【図５】
0004787612.tif 000006
【図６】
0004787612.tif 000007